(57)【要約】【課題】ウイング状フラップを下着にスムーズに装着できるとともに、簡単な操作でしっかりと固定でき、装着中のヨレやズレの発生が抑止できるようにする。【解決手段】透液性の表面シート３と裏面シート２との間に吸収体４が介在されるとともに、両側部にそれぞれ、装着時に下着のクロッチ部分を巻き込むようにして固定される前部側ウイング状フラップＷと、下着内面に固定されるヒップホールド用の後部側ウイング状フラップＷＢとが形成された吸収性物品１において、前記前部側ウイング状フラップＷ及び／又は後部側ウイング状フラップＷＢには、前記表面シート３側の上面に前記吸収性物品１の幅方向中心側に開口するポケット空間Ｐを形成するためのポケットシート２０、２５を設ける。【選択図】図１
2011212438.tif 000002
【特許請求の範囲】
【請求項１】
透液性の表面シートと裏面シートとの間に吸収体が介在されるとともに、両側部にそれぞれ下着に対する固定のために側方に突出する一組以上のウイング状フラップを有する吸収性物品において、
前記ウイング状フラップには、前記表面シート側であって前記吸収性物品の幅方向中心側に開口するポケット空間が設けられていることを特徴とする吸収性物品。
【請求項２】
透液性の表面シートと裏面シートとの間に吸収体が介在されるとともに、両側部にそれぞれ、装着時に下着のクロッチ部分を巻き込むようにして固定される前部側ウイング状フラップと、下着内面に固定されるヒップホールド用の後部側ウイング状フラップとが形成された吸収性物品において、
前記前部側ウイング状フラップ及び／又は後部側ウイング状フラップには、前記表面シート側であって前記吸収性物品の幅方向中心側に開口するポケット空間が設けられていることを特徴とする吸収性物品。
【請求項３】
前記ポケット空間は、前記ウイング状フラップ領域において表面シート側の上面にポケットシートを配設することにより形成されている請求項１、２いずれかに記載の吸収性物品。
【請求項４】
前記ポケット空間は、前記ウイング状フラップのほぼ全領域において表面シート側の上面にポケットシートを配設し、少なくとも前記ポケットシートに吸収性物品の長手方向に沿ってスリットを設けることにより形成されている請求項１、２いずれかに記載の吸収性物品。
【請求項５】
前記ウイング状フラップは、前記裏面シートの延在部分と前記表面シートの延在部分又は立体ギャザーを形成するためのギャザーシートの延在部分とによって構成され、
前記ポケット空間は、前記裏面シートの延在部分と前記表面シートの延在部分又は立体ギャザーを形成するためのギャザーシートの延在部分との間であって前記ウイング状フラップのほぼ全領域に亘ってポケットシートが介在され、前記表面シートの延在部分又は立体ギャザーを形成するためのギャザーシートの延在部分と前記ポケットシートとに吸収性物品の長手方向に沿ってスリットを設けることにより形成されている請求項１、２いずれかに記載の吸収性物品。
【請求項６】
前記ポケット空間は複数に仕切られている請求項１〜５いずれかに記載の吸収性物品。
【請求項７】
前記ポケット空間が形成されるウイング状フラップの基端部は、吸収性物品の幅方向に沿って伸縮性を有する請求項１〜６いずれかに記載の吸収性物品。
【請求項８】
前記ウイング状フラップは、前記ポケットシート以外のシートが吸収性物品の幅方向に沿って伸縮性を有する素材で構成され、前記ポケットシートは、非伸縮性のシートで構成されるとともに、前記ウイング状フラップ領域の内、吸収性物品の幅方向外側に配設されていることにより、前記ウイング状フラップの基端部に吸収性物品の幅方向に沿って伸縮性が付与されている請求項７記載の吸収性物品。
【請求項９】
前記ウイング状フラップを構成するシートが非伸縮性素材を用いて構成され、前記ウイング状フラップに吸収性物品の幅方向に沿って伸縮性を有する伸縮シートを伸張状態で張設することにより、前記ウイング状フラップに幅方向の伸縮性が付与され、前記ポケットシートは、非伸縮性のシートで構成されるとともに、前記ウイング状フラップ領域の内、吸収性物品の幅方向外側に配設されていることにより、前記ウイング状フラップの基端部に吸収性物品の幅方向に沿って伸縮性が付与されている請求項７記載の吸収性物品。
【請求項１０】
前記ポケット空間が形成されるウイング状フラップの裏面シート側の面には、前記ポケットシートと重なる位置にズレ止め粘着剤層が形成されている請求項１〜９いずれかに記載の吸収性物品。
【請求項１１】
前記ポケット空間の開口の上縁には、開口縁に沿ってシートを吸収性物品の幅方向に折り返した折返し部が形成されている請求項１〜１０いずれかに記載の吸収性物品。
【請求項１２】
前記折返し部には、開口縁に沿って弾性伸縮部材が配設されている請求項１１記載の吸収性物品。
【発明の詳細な説明】
【技術分野】
【０００１】
本発明は、両側部にそれぞれ下着に対する固定のために側方に突出するウイング状フラップを有する吸収性物品に関する。
【背景技術】
【０００２】
従来より、生理用ナプキン、パンティライナー、おりものシート、失禁パッドなどの吸収性物品としては、例えばポリエチレンシートまたはポリエチレンラミネート不織布などからなる不透液性裏面シートと、不織布または透孔性プラスチックシートなどからなる透液性表面シートとの間に綿状パルプなどからなる吸収体を介在させたものが知られている。
【０００３】
この種の吸収性物品としては、装着状態でのズレ止めを図るために、例えば透液性表面シートと不透液性裏面シートとの間に吸収体が介在された本体部分の前記裏面シート側の面（外面）に１または複数条の粘着剤層を形成し、かつナプキン本体の長手方向両側部にそれぞれ下着に対する固定のために側方に突出するウイング状フラップを一体的に形成するとともに、このウイング状フラップの不透液性裏面シート側の面（外面）に粘着剤層を設けるようにしたものが存在する。
【０００４】
かかる吸収性物品を下着に固定するには、吸収性物品を局所にあてがい、側方に突出するウイング状フラップを下着より取出し、両ウイング状フラップをこのウイング状フラップ基端部の折り返し線で折り返し、下着のクロッチ部分を巻き込むようにしながら下着の股間部外面に接着するようにする。
【０００５】
ここで前記ウイング状フラップを下着のクロッチ部分に巻き込みやすくするため、様々な形態のウイング状フラップを備えた吸収性物品が提案されている。
【０００６】
例えば、下記特許文献１では、吸収層及び防漏層を具備する縦長の吸収性本体と、該吸収性本体の両側に設けられた一対のウイング部とを有する吸収性物品において、前記ウイング部は、２層以上の積層構造を有する積層不織布からなり、前記積層不織布は、肌側に位置する最上層が未エンボス不織布からなり、非肌側に位置する最下層がエンボス不織布からなり、前記積層不織布の上下面間が該積層不織布に一体的に施されたエンボス加工により一体化されている吸収性物品が開示されている。
【０００７】
また、下記特許文献２では、吸収層及び防漏層を備えた実質的に縦長の吸収性本体及び該吸収性本体の両側縁部から延出した一対のウイング部を有し、該ウイング部は、前記吸収性本体の両側部に接合されたウイング形成用のシート材により形成され、ウイング形成用の前記シート材は、ウイング部を形成するウイング形成部と前記吸収性本体上に位置されるウイング接合部とを有し、前記ウイング部の先端部は、該ウイング形成部の前記シート材が２層以上積層されて形成されており、該ウイング接合部の内側縁部は、前記シート材が折り返されて形成されている吸収性物品が開示されている。
【先行技術文献】
【特許文献】
【０００８】
【特許文献１】特開２００８−６１６６５号公報
【特許文献２】特開２００８−２８９６３１号公報
【発明の概要】
【発明が解決しようとする課題】
【０００９】
しかしながら、上記特許文献１、２記載の吸収性物品を下着に装着するには、ウイング状フラップの先端部を摘んで下着のクロッチ部分を巻き込むように折り返す作業と、その後ウイング状フラップから手を離し折り返したウイング状フラップを外面側から押さえ付けて粘着剤層を下着に接着固定する作業とを行う必要があった。このような２つの作業を行うのは面倒であるとの指摘がなされていた。
【００１０】
また、前記２番目の作業である外面側から押さえ付ける作業を行うのが面倒だと感じると、折り返し時のウイング状フラップの先端部を摘んだまま下着に押し付けて下着への固定を図ろうとする場合があった。ところが、このような固定方法では、粘着剤層をしっかりと下着に接着させることができず、装着中のズレやヨレが生じる場合があった。
【００１１】
一方、一度固定したウイング状フラップにヨレが生じた場合などに位置直しを行うには、固定されたウイング状フラップの先端部を摘んで粘着剤層の接着を解除した後、取付位置をずらし、再度下着に接着し、ウイング状フラップの外面側から押さえ付けて固定するという作業を行う必要があった。このようにウイング状フラップを摘んだり、持ち替えたり、外面側から押さえ付けたりと複数の工程が必要であるため非常に面倒であった。
【００１２】
そこで本発明の主たる課題は、ウイング状フラップを下着にスムーズに装着できるとともに、簡単な操作でしっかりと固定でき、装着中のヨレやズレの発生が抑止できる吸収性物品を提供することにある。
【課題を解決するための手段】
【００１３】
上記課題を解決するために請求項１に係る本発明として、透液性の表面シートと裏面シートとの間に吸収体が介在されるとともに、両側部にそれぞれ下着に対する固定のために側方に突出する一組以上のウイング状フラップを有する吸収性物品において、
前記ウイング状フラップには、前記表面シート側であって前記吸収性物品の幅方向中心側に開口するポケット空間が設けられていることを特徴とする吸収性物品が提供される。
【００１４】
上記請求項１記載の発明は、ウイング状フラップの表面シート側であって前記吸収性物品の幅方向中心側に開口するポケット空間を設けたものである。ここで、前記「ウイング状フラップ」は、装着時に下着のクロッチ部分を巻き込むようにして固定される前部側ウイング状フラップ、及び下着内面に固定されるヒップホールド用の後部側ウイング状フラップのいずれも含むものである。
【００１５】
先ず、前記前部側ウイング状フラップにポケット空間が設けられた吸収性物品について説明すると、かかる吸収性物品を下着に装着するには、左右のウイング状フラップに設けられるポケット空間の開口から左右の手の指をそれぞれのポケット空間内に挿入し、そのまま左右の手を下着のクロッチ部分を巻き込むとともに下着を押さえ付ける位置まで移動させる。この動作だけでウイング状フラップの裏面シート側の面に形成された粘着剤層をしっかりと下着に固定することができる。従って、従来の装着方法のように、ウイング状フラップを摘んだ手を持ち替えて押さえ付けるという面倒な作業が不要となり、ウイング状フラップを下着にスムーズに装着できるようになる。また、ポケット空間に挿入した手の指でウイング状フラップを下着にしっかりと押さえ付けることができるため、簡単な操作でしっかりとウイング状フラップを下着に固定でき、装着中のヨレやズレの発生が抑止できる。
【００１６】
さらに、一度固定したウイング状フラップの位置直しを行う場合には、固定されたウイング状フラップの前記開口からポケット空間内に手の指を挿入し、手を下着から離間させる方向に移動させウイング状フラップの固定状態を解除するとともに、そのまま手を前後に移動させウイングを適正な位置とした後、下着を押さえ付ける位置まで再び手を移動させる。このように、位置直しにおいても一連の操作にウイング状フラップを持ち替える必要が無く、スムーズな位置直しが可能となる。
【００１７】
次に、前記後部側ウイング状フラップにポケット空間が設けられた吸収性物品について説明する。この後部側ウイング状フラップに設けられるポケット空間は、一度固定した後部側ウイング状フラップの位置直しを行うときに好適に使用されるものである。即ち、ポケット空間の開口からポケット空間内に手の指を挿入し、手を下着から離間させる方向に移動させてウイング状フラップの固定状態を解除するとともに、そのまま手を前後に移動させウイングの位置直しを行った後、再び下着を押さえ付ける位置まで移動させる。このように、後部側ウイング状フラップでも、ウイング状フラップを持ち替える必要が無く、スムーズな装着が可能となる。
【００１８】
請求項２に係る本発明として、透液性の表面シートと裏面シートとの間に吸収体が介在されるとともに、両側部にそれぞれ、装着時に下着のクロッチ部分を巻き込むようにして固定される前部側ウイング状フラップと、下着内面に固定されるヒップホールド用の後部側ウイング状フラップとが形成された吸収性物品において、
前記前部側ウイング状フラップ及び／又は後部側ウイング状フラップには、前記表面シート側であって前記吸収性物品の幅方向中心側に開口するポケット空間が設けられていることを特徴とする吸収性物品が提供される。
【００１９】
上記請求項２記載の発明は、吸収性物品の両側部にそれぞれ前部側ウイング状フラップと後部側ウイング状フラップとが形成され、これら前部側ウイング状フラップ及び後部側ウイング状フラップの両方又はいずれか一方に前記ポケット空間が設けられるようにしたものである。
【００２０】
請求項３に係る本発明として、前記ポケット空間は、前記ウイング状フラップ領域において表面シート側の上面にポケットシートを配設することにより形成されている請求項１、２いずれかに記載の吸収性物品。が提供される。
【００２１】
上記請求項３記載の発明は、ポケット空間を形成するための第１の形態であり、前記ウイング状フラップ領域において表面シート側の上面にポケットシートを配設することにより形成するようにしたものである。
【００２２】
請求項４に係る本発明として、前記ポケット空間は、前記ウイング状フラップのほぼ全領域において表面シート側の上面にポケットシートを配設し、少なくとも前記ポケットシートに吸収性物品の長手方向に沿ってスリットを設けることにより形成されている請求項１、２いずれかに記載の吸収性物品が提供される。
【００２３】
上記請求項４記載の発明は、ポケット空間を形成するための第２の形態であり、ウイング状フラップのほぼ全領域において表面シート側の上面にポケットシートを配設し、少なくとも前記ポケットシートに吸収性物品の長手方向に沿ってスリットを設けることにより形成したものである。前記ポケットシートがウイング状フラップのほぼ全領域に配設されているため、ウイング状フラップ全体の強度を一定にすることができ、ウイング状フラップ及びポケットシートの破れを防ぐことができる。
【００２４】
請求項５に係る本発明として、前記ウイング状フラップは、前記裏面シートの延在部分と前記表面シートの延在部分又は立体ギャザーを形成するためのギャザーシートの延在部分とによって構成され、
前記ポケット空間は、前記裏面シートの延在部分と前記表面シートの延在部分又は立体ギャザーを形成するためのギャザーシートの延在部分との間であって前記ウイング状フラップのほぼ全領域に亘ってポケットシートが介在され、前記表面シートの延在部分又は立体ギャザーを形成するためのギャザーシートの延在部分と前記ポケットシートとに吸収性物品の長手方向に沿ってスリットを設けることにより形成されている請求項１、２いずれかに記載の吸収性物品が提供される。
【００２５】
上記請求項５記載の発明は、ポケット空間を形成するための第３の形態であり、裏面シートの延在部分と前記表面シートの延在部分又は立体ギャザーを形成するためのギャザーシートの延在部分との間であって前記ウイング状フラップのほぼ全領域に亘ってポケットシートが介在され、前記表面シートの延在部分又は立体ギャザーを形成するためのギャザーシートの延在部分と前記ポケットシートとに吸収性物品の長手方向に沿ってスリットを設けることにより形成したものである。
【００２６】
請求項６に係る本発明として、前記ポケット空間は複数に仕切られている請求項１〜５いずれかに記載の吸収性物品が提供される。
【００２７】
上記請求項６記載の発明は、手の指が１本ずつ入れられるようにポケット空間を複数に仕切るようにしたものである。
【００２８】
請求項７に係る本発明として、前記ポケット空間が形成されるウイング状フラップの基端部は、吸収性物品の幅方向に沿って伸縮性を有する請求項１〜６いずれかに記載の吸収性物品が提供される。
【００２９】
上記請求項７記載の発明は、ウイング状フラップの装着をより容易にするため、前記ポケット空間が形成されるウイング状フラップの基端部に吸収性物品の幅方向に沿って伸縮性を付与するようにしたものである。ウイング状フラップの基端部に伸縮性を付与するには、例えばこの基端部を吸収性物品の幅方向に沿って伸縮性を有する伸縮素材によって構成することができる。これにより、前部側ウイング状フラップでは、フラップを下着に巻き込ませやすくなる。
【００３０】
請求項８に係る本発明として、前記ウイング状フラップは、前記ポケットシート以外のシートが吸収性物品の幅方向に沿って伸縮性を有する素材で構成され、前記ポケットシートは、非伸縮性のシートで構成されるとともに、前記ウイング状フラップ領域の内、吸収性物品の幅方向外側に配設されていることにより、前記ウイング状フラップの基端部に吸収性物品の幅方向に沿って伸縮性が付与されている請求項７記載の吸収性物品が提供される。
【００３１】
上記請求項８記載の発明は、上記請求項７記載のウイング状フラップの基端部に伸縮性を付与する具体的な形態について規定したものであり、前記ウイング状フラップのポケットシート以外のシートを吸収性物品の幅方向に沿って伸縮性を有する素材で構成し、ポケットシートを非伸縮性のシートで構成するとともに、ウイング状フラップ領域の内、吸収性物品の幅方向外側に配設するようにしている。これにより、ウイング状フラップ全体に伸縮性が付与されるようになるが、伸縮性の大きさが、ポケットシートの配設領域（吸収性物品の幅方向外側）＜それ以外の領域（ウイング状フラップの基端部）の関係となり、より下着のクロッチ部分を巻き込みやすくなる。
【００３２】
請求項９に係る本発明として、前記ウイング状フラップを構成するシートが非伸縮性素材を用いて構成され、前記ウイング状フラップに吸収性物品の幅方向に沿って伸縮性を有する伸縮シートを伸張状態で張設することにより、前記ウイング状フラップに幅方向の伸縮性が付与され、前記ポケットシートは、非伸縮性のシートで構成されるとともに、前記ウイング状フラップ領域の内、吸収性物品の幅方向外側に配設されていることにより、前記ウイング状フラップの基端部に吸収性物品の幅方向に沿って伸縮性が付与されている請求項７記載の吸収性物品が提供される。
【００３３】
上記請求項９記載の発明は、上記請求項７記載のウイング状フラップの基端部に伸縮性を付与する具体的な形態について規定したものであり、ウイング状フラップを構成するシートとして非伸縮性素材を用い、ウイング状フラップに吸収性物品の幅方向に沿って伸縮性を有する伸縮シートを伸張状態で張設することにより、ウイング状フラップに幅方向の伸縮性を付与した上で、ポケットシートを非伸縮性のシートで構成するとともに、ウイング状フラップ領域の内、吸収性物品の幅方向外側に配設するようにしている。
【００３４】
請求項１０に係る本発明として、前記ポケット空間が形成されるウイング状フラップの裏面シート側の面には、前記ポケットシートと重なる位置にズレ止め粘着剤層が形成されている請求項１〜９いずれかに記載の吸収性物品が提供される。
【００３５】
上記請求項１０記載の発明は、ポケット空間内に指を挿入してそのまま下着に押し付けたとき、粘着剤層がより確実に下着に接着するように、ポケット空間と重なる位置にズレ止め粘着剤層を形成するようにしたものである。
【００３６】
請求項１１に係る本発明として、前記ポケット空間の開口の上縁には、開口縁に沿ってシートを吸収性物品の幅方向に折り返した折返し部が形成されている請求項１〜１０いずれかに記載の吸収性物品が提供される。
【００３７】
上記請求項１１記載の発明では、前記折返し部を形成することにより、ポケット空間に指を挿入しやすくしている。また、後部側ウイング状フラップのポケット空間に前記折返し部を設けた場合、吸収性物品のヨレやズレを直すときにつまみやすくなる。
【００３８】
請求項１２に係る本発明として、前記折返し部には、開口縁に沿って弾性伸縮部材が配設されている請求項１１記載の吸収性物品が提供される。
【００３９】
上記請求項１２記載の発明では、開口縁に沿って弾性伸縮部材を配設することによって、より指を挿入しやすくするとともに、後部側ウイング状フラップではよりつまみやすくしている。
【発明の効果】
【００４０】
以上詳説のとおり本発明によれば、ウイング状フラップを下着にスムーズに装着できるとともに、簡単な操作でしっかりと固定でき、装着中のヨレやズレの発生が抑止できるようになる。
【図面の簡単な説明】
【００４１】
【図１】本発明に係る生理用ナプキン１の一部破断展開図である。
【図２】そのII−II線矢視図である。
【図３】(A)、(B)は前部側ウイング状フラップＷ、Ｗの装着要領を示す断面図である。
【図４】ポケットシート２０の幅寸法を示す要部拡大図である。
【図５】ポケットシート２０の他の形態を示す要部拡大図である。
【図６】前部側ウイング状フラップＷの他の形態例を示す要部拡大図である。
【図７】前部側ウイング状フラップＷの他の形態例を示す要部拡大図である。
【図８】他の形態に係る前部側ウイング状フラップＷ、Ｗの装着要領を示す横断面図である。
【図９】他の形態に係る生理用ナプキン１の展開図である。
【図１０】ポケット空間Ｐの他の形態例を示す、(A)はウイング状フラップＷの平面図、(B)はそのＢ−Ｂ線矢視図である。
【図１１】ポケット空間Ｐの他の形態例を示す、(A)はウイング状フラップＷの平面図、(B)はそのＢ−Ｂ線矢視図である。
【図１２】ポケット空間Ｐの他の形態例を示す要部拡大断面図である。
【図１３】ポケット空間Ｐの他の形態例を示す要部拡大断面図である。
【図１４】ポケット空間Ｐの他の形態例を示す要部拡大断面図である。
【図１５】ポケット空間Ｐの他の形態例を示す、(A)はウイング状フラップＷの平面図、(B)はそのＢ−Ｂ線矢視図である。
【図１６】他の形態に係る生理用ナプキン１の一部破断展開図である。
【発明を実施するための形態】
【００４２】
以下、本発明の実施の形態について図面を参照しながら詳述する。
【００４３】
本発明に係る生理用ナプキン１は、ポリエチレンシートなどからなる不透液性の裏面シート２と、経血やおりものなどを速やかに透過させる透液性の表面シート３と、これら両シート２，３間に介装された綿状パルプまたは合成パルプなどからなる吸収体４と、この吸収体４の形状保持および拡散性向上のために前記吸収体４を囲繞するクレープ紙５と、体液排出部位Ｈを含む所定の長手方向範囲に立体ギャザーＢＳ、ＢＳを形成する立体ギャザー形成用不織布６と、両側縁部で吸収体４よりも側方に延出している前記裏面シート２による積層シート部分によって側方に突出する前部側ウイング状フラップＷ、Ｗを形成するとともに、これよりも臀部側に位置する部分に後部側ウイング状フラップＷＢ、ＷＢを形成するサイド不織布７とから主に構成されている。
【００４４】
以下、さらに前記生理用ナプキン１の構造について詳述すると、
前記裏面シート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記裏面シート２の非使用面側（外面）には１または複数条の粘着剤層１０…、１１…、１２…が形成され、身体への装着時に生理用ナプキン１を下着に固定するようになっている。前記裏面シート２としては、プラスチックフィルムと不織布とを積層させたポリラミ不織布を用いてもよい。
【００４５】
次いで、前記表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記表面シート３に多数の透孔を形成した場合には、経血やおりもの等（以下、まとめて体液という。）が速やかに吸収されるようになり、ドライタッチ性に優れたものとなる。
【００４６】
前記裏面シート２と表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に表面シート３と吸収体４との間にクレープ紙５が介在することになり、吸収性に優れる前記クレープ紙５によって体液を速やかに拡散させるとともに、これら経血等の逆戻りを防止するようになる。
【００４７】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００４８】
前記表面シート３の幅寸法は、図示例では、図２の横断面図に示されるように、吸収体４の幅よりも若干長めとされ、吸収体４を覆うだけに止まり、前記立体ギャザーＢＳ、ＢＳは前記透液性表面シート３とは別の立体ギャザー形成用不織布６によって形成され、立体ギャザーＢＳ、ＢＳの外側には、前記裏面シート２の表面側にサイド不織布７が積層されている。前記立体ギャザー形成用不織布６とサイド不織布７とは必ずしも別に設ける必要はなく、立体ギャザー形成用不織布６が外側に延在してサイド不織布７を構成するようにしてもよい。
【００４９】
これら立体ギャザー形成用不織布６及びサイド不織布７は、経血やおりもの等が浸透するのを防止する、あるいは肌触り感を高めるなどの目的に応じて、適宜の撥水処理または親水処理を施した不織布素材を用いて構成されている。かかる不織布６，７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００５０】
前記サイド不織布７は、図２に示されるように、裏面シート２の外縁までの範囲に亘ってホットメルトなどの接着剤によって接着し、これら前記サイド不織布７と裏面シート２との積層シート部分により、ほぼ体液排出部に相当する吸収体側部位置に左右一対の前部側ウイングフラップＷ、Ｗを形成するとともに、これより臀部側位置に後部側ウイング状フラップＷＢ、ＷＢを形成している。前記立体ギャザーＢＳが形成されない生理用ナプキン１の場合、前部側ウイング状フラップＷ及び後部側ウイング状フラップＷＢは、裏面シート２の延在部分と表面シート３の延在部分との積層シート部分により形成されている。これら前部側ウイング状フラップＷ、Ｗおよび後部側ウイング状フラップＷＢ、ＷＢの外面側にはそれぞれ粘着剤層１０…，１１…を備え、ショーツに対する装着時に、前記前部側ウイング状フラップＷ、Ｗを折返し線ＲＬ位置にて反対側に折り返し、ショーツのクロッチ部分に巻き付けて止着するようになっている。
【００５１】
〔ポケット空間Ｐについて〕
（第１形態例）
第１形態例に生理用ナプキン１では、図１に示されるように、前部側ウイング状フラップＷ、Ｗに対し、表面シート３側であって生理用ナプキン１の幅方向中心側に開口するポケット空間Ｐが設けられている。
【００５２】
前記ポケット空間Ｐは、上記の開口が設けられ、生理用ナプキン１の長手方向両端部及び幅方向外側を封止することによって形成したものであり、具体的には以下のように形成されている。
【００５３】
ポケット空間Ｐを形成するための第１の例としては、ウイング状フラップＷ、Ｗの表面シート３側の上面にポケットシート２０を接合することにより形成することができる。前記ポケットシート２０の接合に当たっては、サイド不織布７を裏面シート２に貼着した後、前記サイド不織布７の上面にポケットシート２０を積層し、前部側ウイング状フラップＷ、Ｗの外形線に沿ってヒートシール２１（斜線範囲）を施して固定する。その後、裏面シート２、サイド不織布７及びポケットシート２０を前部側ウイング状フラップＷ、Ｗの外形線に沿って裁断する。
【００５４】
前部側ウイング状フラップＷに、かかるポケットシート２０が設けられることにより、図３に示されるように、生理用ナプキン１を下着に装着する際、左右のポケットシート２０の開口から左右の手の指をそれぞれのポケット空間Ｐ内に挿入し（図３(A)）、そのまま左右の手を下着のクロッチ部分を巻き込むとともに下着を押さえ付ける位置まで移動させる（図３(B)）。この動作だけで外面側に設けられた粘着剤層１０をしっかりと下着に固定することができる。従ってウイング状フラップＷを下着にスムーズに装着でき、装着中のヨレやズレの発生も抑止できる。
【００５５】
さらに、一度固定した前部側ウイング状フラップＷの位置直しを行う場合は、固定された前部側ウイング状フラップＷの前記開口からポケット空間Ｐ内に手の指を挿入し（図３(B)参照）、手を下着から離間させる方向に移動させウイング状フラップＷの固定状態を解除するとともに、そのまま手を前後に移動させウイングの位置直しを行った後、下着を押さえ付ける位置まで再び手を移動させる。このように、位置直しにおいても一連の操作にウイング状フラップＷを持ち替える必要が無く、スムーズな位置直しが可能となる。
【００５６】
前記ポケットシート２０の素材としては、前記サイド不織布７と同様の素材を用いることができる。特に肌触り感を高めた素材を用いることが望ましい。具体的には、エアスルー法、スパンボンド法などのふんわり感を向上させた不織布を用いることが好ましい。
【００５７】
前記ポケットシート２０のシート幅ＤＰは、図４に示されるように、ポケット空間Ｐに指を挿入しやすくするため、前部側ウイング状フラップＷのフラップ幅ＤＷに対して０．５〜０．８５（ＤＰ＝０．５ＤＷ〜０．８５ＤＷ）とすることが好ましい。ＤＰ＜０．５ＤＷではフラップ幅に対してポケット空間Ｐの奥行きが小さ過ぎて指を挿入してウイング状フラップを操作しにくく、ＤＰ＞０．８５ＤＷではポケット空間Ｐの開口と折返し線ＲＬとの間隔が狭いため開口から指を挿入しにくくなる。
【００５８】
図５に示されるように、前記ポケット空間は、生理用ナプキン１の長手方向に２つ乃至４つの複数に、図示例では３つのポケット空間Ｐａ、Ｐａ…が形成されるように仕切るようにしてもよい。このように分割したポケット空間Ｐａ…を形成することにより、各ポケット空間Ｐａに手の指を１本ずつ挿入することができ、ウイング状フラップＷの操作性が向上できる。各ポケット空間Ｐａ、Ｐａの仕切り部分２１Ａは、前述のウイング状フラップＷの外周シールと同様のヒートシールなどとすることができる。
【００５９】
また、図６に示されるように、ポケットシート２０が設けられる前部側ウイング状フラップＷの基端部には、生理用ナプキン１の幅方向に沿って伸縮性を有する伸縮素材２２を配設することにより、ウイング状フラップＷの基端部が生理用ナプキン１の幅方向に沿って伸縮性を有するようにしてもよい。前記伸縮素材２２は、前部側ウイング状フラップＷの折返し線ＲＬをナプキンの幅方向中心側に越えない範囲に配設するものとする。この伸縮素材２２を配設することにより、前部側ウイング状フラップＷを下着のクロッチ部分を巻き込むようにして折り返す際、折返し線ＲＬからきっちりと折り返され装着が容易になるとともに、また多少の位置ズレがあっても伸縮素材２２で吸収されるため装着感に優れるようになる。
【００６０】
前記伸縮素材２２としては、ナプキン幅方向に対して弾性伸縮性を有する弾性繊維が含有された不織布又はプラスチック等の樹脂フィルムとすることがすることができる。前記弾性繊維としては、熱可塑性エラストマー樹脂を溶融、紡糸したものを使用することができる。この弾性繊維を含有する不織布を製造するには、メルトブロー法、スパンボンド法など紡糸工程に直結してウェブを形成する方法が好ましい。
【００６１】
図１に示されるように、前部側ウイング状フラップＷの外面側に備えられる粘着剤層１０は、少なくとも一部がポケットシート２０と重なる位置に形成することが好ましい。図示例では粘着剤層１０の全部がポケットシート２０と重なる位置に形成されている。これにより、ポケット空間Ｐ内に指を挿入してそのまま下着に押し付けたとき、粘着剤層１０をより確実に下着に接着することができる。
【００６２】
ところで、他の装着方法として、ズリ降ろした下着に生理用ナプキン１を載置した状態で下着を引き上げた後、前部側ウイング状フラップＷ、Ｗの位置合わせや固定を行う方法がある。この装着方法の場合、下着を引き上げる際に、ナプキンの位置ズレや前部側ウイング状フラップＷ、Ｗの粘着剤層１０、１０同士の接着などの問題が生じ得る。この対策として、図７及び図８に示されるように、装着時に下着のクロッチ部分を巻き込むようにして折り返した状態で前部側ウイング状フラップＷ、Ｗが重なり代Ｓを持つように形成されるとともに、この重なり代Ｓにそれぞれ５ｇ／ｍ２以下の目付で仮止め用粘着剤層２３を備えるものとすることができる。このとき前部側ウイング状フラップＷに形成されたポケット空間Ｐ内に指を挿入しながら仮止め用粘着剤層２３による仮止めを行うことにより、前部側ウイング状フラップＷ、Ｗを下着から浮かした状態で、即ち粘着剤層１０、１０が下着に固定されない状態で前部側ウイング状フラップＷ、Ｗを仮止めすることができるため、下着を引き上げた後の位置合わせや固定を容易に行うことができるようになる。なお、前記仮止め粘着剤層２３は、左右の前部側ウイング状フラップＷ、Ｗが逆に重なっても対応できるように両ウイングに塗布することが好ましい。
【００６３】
（第２形態例）
第２形態例に係る生理用ナプキン１では、図９に示されるように、前部側ウイング状フラップＷ、Ｗに加え、後部側ウイング状フラップＷＢ、ＷＢに対しても、表面シート３側、図示例ではサイド不織布７の上面側に、生理用ナプキン１の幅方向中心側に開口するポケット空間Ｐを形成するためのポケットシート２５が設けられている。この後部側ウイング状フラップＷＢに設けられるポケットシート２５も基本的に前記前部側ウイング状フラップＷに設けられるポケットシート２５と同様に形成することができる。
【００６４】
この後部側ウイング状フラップに設けられるポケットシート２５は、下着の装着後に後部側ウイング状フラップＷＢの位置直しを行うときに好適に用いられるものである。即ち、ポケットシート２５の開口からポケット空間Ｐ内に手の指を挿入し、手を下着から離間させる方向に移動させて後部側ウイング状フラップＷＢの固定状態を解除するとともに、そのまま手を前後に移動させウイングの位置直しを行った後、再び下着を押さえ付ける位置まで移動させる。このように、後部側ウイング状フラップＷＢの位置直しにおいてもフラップを持ち替える必要が無く、スムーズな作業が可能となる。
【００６５】
後部側ウイング状フラップＷＢに設けられるポケットシート２５も、上記前部側ウイング状フラップＷに用いられるポケットシート２０と同様に、指が１本ずつ挿入できるように複数に仕切られたポケット空間を形成することができる。このとき、分割されたポケット空間は２つ乃至５つ形成されるようにする。
【００６６】
前部側ウイング状フラップＷ及び後部側ウイング状フラップＷＢにポケットシートが設けられる場合、生理用ナプキン１の製造に当たって、前部側ウイング状フラップＷのポケットシート２０と後部側ウイング状フラップＷＢのポケットシート２５とを同一工程で接合できるように、各ポケットシート２０、２５は、ナプキン幅方向の範囲を揃えることが望ましい。従って、前部側ウイング状フラップＷと後部側ウイング状フラップＷＢとの両側端幅はほぼ同一となるようにすることが好ましい。
【００６７】
（第３形態例）
ポケット空間Ｐを形成するための第２の例としては、図１０に示されるように、ウイング状フラップＷのほぼ全領域において表面シート３側の上面にポケットシート２０を配設し、少なくとも前記ポケットシート２０に生理用ナプキン１の長手方向に沿ってスリット２６を設けることにより形成したものである。図１０に示される例では、裏面シート２とサイド不織布７との延在部分の貼り合わせによってウイング状フラップＷが形成されるとともに、このウイング状フラップＷのほぼ全領域において前記サイド不織布７の上面にポケットシート２０を配設し、前記ポケットシート２０のウイング状フラップＷの基端側寄り位置に、生理用ナプキン１の長手方向に沿ってスリット２６を設けることにより形成したものである。従って、ポケット空間Ｐは、前記スリット２６を開口として、ポケットシート２０とサイド不織布７との間に形成されている。
【００６８】
このように、ポケットシート２０をウイング状フラップＷのほぼ全領域に配設することにより、ウイング状フラップＷ全体の強度を一定にすることができ、ポケットシート２０の破れを防ぐことができる。
【００６９】
なお、図１０に示される例の変形例として、ウイング状フラップＷにおいて裏面シート２とサイド不織布７との張り合わせをウイング状フラップＷの周縁部のみとし、ポケットシート２０とサイド不織布７とをウイング状フラップＷのほぼ全面に亘って接合し、前記スリット２６をポケットシート２０及びサイド不織布７に設けることにより、裏面シート２とサイド不織布７との間にポケット空間Ｐを形成することもできる。
【００７０】
また、図１１に示されるように、裏面シート２の延在部分とサイド不織布７との延在部分との間であってウイング状フラップＷのほぼ全領域に亘ってポケットシート２０を介在し、サイド不織布７の延在部分及びポケットシート２０に生理用ナプキン１の長手方向に沿ってスリット２６を設けることによりポケット空間Ｐを形成してもよい。
【００７１】
このように、ポケットシート２０をウイング状フラップＷのほぼ全領域に配設することにより、ウイング状フラップＷの破れを防止することができる。ポケットシート２０を裏面シート２とサイド不織布７との間に配設することにより、肌当たりを損ねることなく補強することができる。
【００７２】
図１１に示される例の場合、前記ポケットシート２０は、必ずしもウイング状フラップＷ全体に設ける必要はなく、サイド不織布７に形成されるスリット２６より幅方向外側の範囲に設けるようにしてもよい。
【００７３】
前記ポケットシート２０としては、上述の通りサイド不織布７と同様の素材を使用することもできるが、不織布よりも強度が高い素材、例えばプラスチックフィルムやプラスチックフィルムと不織布とを積層させたポリラミ不織布等を用いることが好ましい。
【００７４】
（第４形態例）
第４形態例は、上記図６に示される形態の変形例である。本第４形態例では、図１２に示されるように、ウイング状フラップＷとして、前記ポケットシート２０以外のシート（裏面シート２及びサイド不織布７）を生理用ナプキン１の幅方向に沿って伸縮性を有する素材で構成し、前記ポケットシート２０を非伸縮性のシートで構成するとともに、このポケットシート２０をウイング状フラップＷ領域の内、生理用ナプキン１の幅方向外側に配設することにより、ウイング状フラップＷの基端部に生理用ナプキン１の幅方向に沿って伸縮性を付与するようにしている。
【００７５】
これにより、ウイング状フラップＷ全体に伸縮性が付与されるようになるが、伸縮性の大きさが、ポケットシート２０が配設される領域（ウイング状フラップＷの外側）＜それ以外の領域（ウイング状フラップＷの基端部）の関係となり、より下着のクロッチ部分を巻き込みやすくなると同時に、下着にしっかりと固定できるようになる。
【００７６】
伸縮性を有する裏面シート２及びサイド不織布７としては、少なくとも１方向に伸縮性を有する不織布、具体的に例示するとポリウレタン、ポリオレフィン、ポリエステル、ポリアミドなどの可逆的に塑性変形し易い弾性樹脂材料からなる長繊維で構成した不織布、または引き延ばされた際に繊維自体の繊維直径は変化しないものの、ジグザグ状またはスパイラル状の捲縮が形成され、この捲縮が引き延ばされることによって伸縮性を示すようにした不織布等を使用することができる。
【００７７】
また、図１３に示されるように、ウイング状フラップＷを構成するシートを非伸縮性によって構成し、ウイング状フラップＷに生理用ナプキン１の幅方向に沿って伸縮性を有する伸縮シート２７を伸張状態で調節することにより、ウイング状フラップＷに幅方向の伸縮性を付与した上で、ポケットシート２０を非伸縮性のシートで構成するとともに、ウイング状フラップＷ領域の内、生理用ナプキン１の幅方向外側に配設することにより、ウイング状フラップＷの基端部に生理用ナプキン１の幅方向に沿って伸縮性を付与するようにしている。
【００７８】
前記伸縮シート２７としては、上記裏面シート２及びサイド不織布７と同様の伸縮性を有する不織布等を使用することもできるし、非伸縮性の不織布の一定の方向に複数の弾性伸縮部材を伸張状態で配設したシートを使用することもできる。
【００７９】
（第５形態例）
前記ポケット空間Ｐには、図１４に示されるように、開口の上縁に対し、ポケットシート２０の端縁を開口縁に沿って生理用ナプキン１の幅方向に折り返した折返し部２８を形成することができる。前記折返し部２８は、同図１４(A)に示されるように、端部をポケット空間Ｐの内側に向けて折り返すこともできるし、同図１４(B)に示されるように、ポケット空間Ｐの外側に向けて折り返すこともできる。この折返し部２８は、前部側ウイング状フラップＷ、後部側ウイング状フラップＷＢのいずれか又は両方に形成することができ、ポケット空間Ｐの内側又は外側のいずれに折り返してもよい。なお、折り返し端縁部は、端縁に沿って接合しておくことが好ましい。
【００８０】
この折返し部２８を設けることにより、端縁で指が引っ掛かり難くなり、ポケット空間Ｐに指を挿入しやすくなる。また、後部側ウイング状フラップＷＢのポケット空間Ｐに前記折返し部２８を設けた場合、ナプキン１のヨレやズレを直すときににポケット空間Ｐの開口端縁をつまみやすくなる。
【００８１】
更に、図１５に示されるように、前記折返し部２８の二重シート部分には、開口縁に沿って弾性伸縮部材２９を配設することが好ましい。これにより、より指を挿入しやすくなるとともに、後部側ウイング状フラップＷＢではよりつまみやすくなる。
【００８２】
〔他の形態例〕
(1)上記形態例では、前部側ウイング状フラップＷのみにポケットシート２０が設けられた場合（第１形態例）、前部側ウイング状フラップ及び後部側ウイング状フラップＷＢにそれぞれポケットシート２０、２５が設けられた場合（第２形態例）について説明したが、後部側ウイング状フラップＷＢのみにポケットシート２５が設けられる形態であっても良い。
(2)上記形態例では、前部側ウイング状フラップＷ及び後部側ウイング状フラップＷＢが形成された生理用ナプキン１を例に挙げ説明したが、前部側ウイング状フラップＷ又は後部側ウイング状フラップのみが形成された生理用ナプキン１としても良い。
(3)上記形態例では、前部側ウイング状フラップＷがナプキン長手方向に長い略長方形状に形成された生理用ナプキン１を例に挙げ説明したが、図１５に示されるように、前部側ウイング状フラップＷが略三角形状に形成された生理用ナプキン１に対しても同様に適用できる。
【符号の説明】
【００８３】
１…生理用ナプキン、２…裏面シート、３…表面シート、４…吸収体、５…クレープ紙、６…立体ギャザー形成用不織布、７…サイド不織布、１０・１１…粘着剤層、２０・２５…ポケットシート、２１…ヒートシール、２２…伸縮素材、Ｐ…ポケット空間、Ｗ…前部側ウイング状フラップ、ＷＢ…後部側ウイング状フラップ
【図１】
2011212438.tif 000003
【図２】
2011212438.tif 000004
【図３】
2011212438.tif 000005
【図４】
2011212438.tif 000006
【図５】
2011212438.tif 000007
【図６】
2011212438.tif 000008
【図７】
2011212438.tif 000009
【図８】
2011212438.tif 000010
【図９】
2011212438.tif 000011
【図１０】
2011212438.tif 000012
【図１１】
2011212438.tif 000013
【図１２】
2011212438.tif 000014
【図１３】
2011212438.tif 000015
【図１４】
2011212438.tif 000016
【図１５】
2011212438.tif 000017
【図１６】
2011212438.tif 000018